(57)【要約】      （修正有）【課題】年度が替っても長期間に渡って使用できる中綴じカレンダー用ホルダーを提供する。【解決手段】紙製で横長な板状のホルダー本体１の少なくとも上部中央に取付用穴１ａを穿設させると共に下部中央に留め具用穴１ｃを穿設させ、カレンダー用紙５を捲り上げた際に、その上部を前倒れ防止させる紙製の前倒れ防止部材２がホルダー本体１の両側に設けられ、且つ、ホルダー本体１の留め具用穴１ｃを用いてカレンダー用紙５の落下が防止されるための留め具３を設けて、少なくとも構成する。又、前倒れ防止部材２として、挟持部材を用い、また留め具として、ペーパーワイヤーや鍔付き突出片などを用いるのが好ましい。【選択図】図１
0003225912.tif 000002
【実用新案登録請求の範囲】
【請求項１】
カレンダー用紙（５）を上方に順次捲り上げて使用すると共に、吊下用穴（51）を有した中綴じカレンダーが、保持される中綴じカレンダー用ホルダーであって、
紙製で横長な板状のホルダー本体（１）の少なくとも上部中央に取付用穴（1a）を穿設させると共に下部中央に留め具用穴（1c）を穿設させ、前記カレンダー用紙（５）を捲り上げた際に、その上部を前倒れ防止する紙製の前倒れ防止部材（２）が前記ホルダー本体（１）の両側に設けられ、且つ、前記ホルダー本体（１）の留め具用穴（1c）を用いて前記カレンダー用紙（５）の落下が防止されるための留め具（３）を設けて、少なくとも構成したことを特徴とする中綴じカレンダー用ホルダー。
【請求項２】
前記前倒れ防止部材（２）が、挟持部材である請求項１記載の中綴じカレンダー用ホルダー。
【請求項３】
前記留め具（３）がペーパーワイヤーである請求項１記載の中綴じカレンダー用ホルダー。
【請求項４】
前記留め具（３）が鍔付き突出片である請求項１記載の中綴じカレンダー用ホルダー。
【考案の詳細な説明】
【技術分野】
【０００１】
本考案は中綴じカレンダー用ホルダーに関する。
【背景技術】
【０００２】
従来、一般的な中綴じカレンダーは、上部が絵画や風景などの図柄で、下部が日，曜日などを表示したカレンダー部になっており、使用時の上部中央には吊下用の穴が穿設されたものが殆どである。この中綴じカレンダーを吊下させる際、壁等に固定したフックや釘やネジなどを取付けた突起物にカレンダーの穴を引掛けて使用する場合が多い。またフックや突起物に引掛けずに、穴に画鋲を差し込んで吊下させる場合もあった。
【０００３】
また中綴じカレンダーを使用する際、１ヶ月又は２ヶ月毎の月替わりに下部のカレンダー用紙を捲り上げてフックなどの突起物にカレンダー用紙の穴を引掛けるか、或いはカレンダー用紙を捲り上げた後、画鋲を抜き、捲り上げたカレンダー用紙の穴を上部のカレンダーの穴に合せた後、画鋲を再度穴に差し込んで吊下させていた。
【０００４】
一方、長期間に渡って使用できるカレンダー用ホルダーとしては、特開平７−２４６７９０号が提案されている。この構造は、カレンダーの綴じ金具を吸着する磁石を設ける凹部と、固定部材への取付手段と、を有する本体を備えたものであり、前記本体は下方に開口を有する横断面コ字型に形成されている。
【０００５】
更にカレンダー用紙の上端を挟持させるカレンダー用ホルダーとしては、実開平６−６４９２３号が提案されている。この構造は、横長な保持板の前面中央に、平行な２本の保持ピンを突設し、Ｖ字状に折曲して伸縮弾性を有する合成樹脂製の押下部材の上辺を、保持ピンの上方位置で保持板に固定し、押下部材の下辺には、摩耗性を有する圧接片を設けて成るものであった。
【先行技術文献】
【特許文献】
【０００６】
【特許文献１】特開平７−２４６７９０号公報
【特許文献２】実開平６−６４９２３号公報
【考案の概要】
【考案が解決しようとする課題】
【０００７】
しかしながら、中綴じカレンダーの穴をフックなどの突起物に引掛ける場合は、穴にカレンダーの重量が集中して加わるため、穴が損傷し易く、損傷した時にはテープ等で穴を補強して使用続けなければならなかった。しかも、穴を補強すると、１ヶ月又は２ヶ月毎の月替わりに下部のカレンダー用紙を捲り上げてフックなどの突出部にカレンダー用紙の穴を引掛ける際に、穴を補強したテープ等でその穴の一部が塞がると、捲り上げたカレンダー用紙が引掛りにくいものとなっていた。
又、中綴じカレンダーの穴に画鋲を差し込んで吊下させる場合は、１ヶ月毎又は２ヶ月毎に画鋲を穴から抜き、カレンダー用紙を捲り上げた後、そのカレンダー用紙の穴同士を合せてから、その穴に画鋲を再度差し込む必要があり、面倒な作業であった。
【０００８】
また特開平７−２４６７９０号は、上部に綴じ金具を固着したカレンダーが対象であり、中綴じカレンダーには、上部に綴じ金具を固着したものがないため、特開平７−２４６７９０号では、中綴じカレンダーを吊下させることはできなかった。
【０００９】
又、実開平６−６４９２３号は、複数枚のカレンダー用紙の上部を補強板によって巻き締めて綴じたカレンダー用紙を、カッターナイフ等を使用して補強板の下辺に沿って１枚ずつ切離して使用するものであり、しかも、切離したカレンダー用紙の上端縁を揃え、上端中央部を保持ピンに差し込むことにより、平行状態で吊り下げて使用するため、手間の掛るものであった。更に実開平６−６４９２３号では、月替わり毎にカレンダー用紙を下方へ引離して使用するものであるが、中綴じカレンダーをそのままの状態で保持して使用することができなかった。従って、実開平６−６４９２３号と本考案とは、カレンダーの対象物が異なると共に、カレンダー用紙の留め方、使用方法、作用効果が異なるものであった。
【００１０】
本考案はカレンダー用紙を捲り上げ、それを保持することが簡単で確実に行え、且つ、年度が替っても長期間に渡って使用できる中綴じカレンダー用ホルダーを提供することを目的とする。
【課題を解決するための手段】
【００１１】
本考案は上記現状に鑑みて成されたものであり、つまり、紙製で横長な板状のホルダー本体の少なくとも上部中央に取付用穴を穿設させると共に下部中央に留め具用穴を穿設させ、カレンダー用紙を捲り上げた際に、その上部を前倒れ防止させる紙製の前倒れ防止部材がホルダー本体の両側に設けられ、且つ、ホルダー本体の留め具用穴を用いてカレンダー用紙の落下が防止されるための留め具を設けて、少なくとも構成する。又、前倒れ防止部材として、挟持部材を用い、また留め具として、ペーパーワイヤー（ペーパータイとも言う）や鍔付き突出片などを用いるのが好ましい。尚、本考案で言う「留め具用穴を用いて」とは、留め具の一部を留め具用穴に、挿入或いは貫通させて使用すること指し、また、「ペーパーワイヤー（ペーパータイ）」とは、芯に針金が配置された紙製で扁平な紐状のものを指す。
【考案の効果】
【００１２】
請求項１のように紙製で横長な板状のホルダー本体（１）の少なくとも上部中央に取付用穴（1a）を穿設させると共に下部中央に留め具用穴（1c）を穿設させ、カレンダー用紙（５）を捲り上げた際に、その上部を前倒れ防止する紙製の前倒れ防止部材（２）がホルダー本体（１）の両側に設けられ、且つ、ホルダー本体（１）の留め具用穴（1c）を用いてカレンダー用紙（５）の落下が防止されるための留め具（３）を設けて、少なくとも構成することにより、月替わりに下部のカレンダー用紙（５）を捲り上げた後、従来の如きフックや釘或いはネジなどの突起物（４）に吊下用穴（51）を引掛ける必要がなくなり、カレンダー用紙（５）の上部を前倒れ防止部材（２）に差し込めば前倒れになることがないため、カレンダー用紙（５）の吊下用穴（51）の損傷がなくなる。しかも画鋲を差し込み、或いは引き抜く必要がないので、カレンダー用紙（５）を捲り上げるための作業が簡単になる。
従って、本考案品はカレンダー用紙（５）を捲り上げる作業が簡単に行え、確実にカレンダー用紙（５）の保持が可能で、且つ、年度が替っても長期間に渡って使用できるものとなる。更に本考案品を全て紙製で製作すれば、古紙として再生できる。又、これを燃焼する際には有害なガスの発生がないので、環境にやさしい製品となる。
【００１３】
請求項２のように前倒れ防止部材（２）として挟持部材を用いることにより、捲り上げたカレンダー用紙（５）の保持が確実なものとなる。
【００１４】
請求項３に示すように留め具（３）としてペーパーワイヤーを用い、留め具用穴（1c）から吊下用穴（51）を経て取付用穴（1a）に貫通して、ペーパーワイヤーを取付けることにより、ホルダー本体（１）とカレンダー用紙（５）が隙間なく留められるので、捲り上げたカレンダー用紙（５）の捲り上げ作業がし易くなると共に前倒れ防止部材（２）に差し込み易く且つ保持が確実なものとなり、落下する恐れがなくなる。特にペーパーワイヤーは扁平であるので、取付用穴（1a）が殆ど塞がる部分が少なく、ホルダー本体（１）を壁などに取付けた突起物（４）に引掛ける際はスムーズに行える。又、本考案品を燃焼する際に、留め具（３）からは有害ガスが発生しないため、取外して分解する必要がなく、本考案品の処理が簡単なものとなる。
【００１５】
請求項４に示すように留め具（３）として鍔付き突出片を用いることにより、捲り上げたカレンダー用紙（５）の保持が可能なものとなり、落下する恐れがなくなる。また本考案品に中綴じカレンダーを取付ける作業が簡単になる。
【図面の簡単な説明】
【００１６】
【図１】本考案の実施形態を示す説明図である。
【図２】本考案の別実施形態を示す説明図である。
【図３】本実施形態の各前倒れ防止部材を示す説明図である。
【図４】本実施形態の各留め具を示す説明図である。
【図５】本実施形態の各留め具の使用状態を示す説明図である。
【図６】本考案の使用方法を示す説明図である。
【考案を実施するための形態】
【００１７】
本考案の実施形態を図１〜図４に基づいて説明する。（１）は紙製で横長な板状のホルダー本体であり、該ホルダー本体（１）には、上部中央に穿設させた取付用穴（1a）と、該取付用穴（1a）の両側に穿設させた紐用穴（1b）と、下部中央に穿設させた留め具用穴（1c）と、後述する前倒れ防止部材（２）が取付けられるためにホルダー本体（１）の両側に穿設した角穴（1d）と、がある。又、前記ホルダー本体（１）はカレンダー用紙（５）を上方に順次捲り上げて使用すると共に吊下用穴（51）を有した中綴じカレンダーを、保持して使用するためのものである。また前記ホルダー本体（１）の長さは、使用されるカレンダー用紙（５）に合せるが、カレンダー用紙（５）の横方向の長さよりも小さな長さてあっても良い。
【００１８】
（２）は捲り上げられた時のカレンダー用紙（５）の上部が、前倒れを防止するための紙製の前倒れ防止部材であり、該前倒れ防止部材（２）としては、図３（ａ）に示すフックなどの挟持部材であり、この挟持部材は角穴（1d）に取付ける。また図３（ｂ）に示すフックなどの挟持部材は、ホルダー本体（１）の両端部の角穴（1d）に取付ける。図３（ｃ）のように隙間を有したものは、挟持させず、カレンダー用紙（５）が前倒れしないように抑止するものである。この前倒れ防止部材（２）はホルダー本体（１）の両端部の角穴（1d）に取付ける。この時のカレンダー用紙（５）の差し込み作業が、極めてスムーズに行えるものとなる。
【００１９】
（３）はホルダー本体（１）の留め具用穴（1c）を用いてカレンダー用紙（５）の落下が防止されるための留め具であり、該留め具（３）としては、図４（ａ）に示すペーパーワイヤー（ペーパータイ），図４（ｂ）に示す鍔付きの突出片，図４（ｃ）のように可撓性を有した一対の足部（35）を鍔部（36）に取付けた金具，図４（ｄ）のように押圧片（37）と受部（38）から成るホックなどを用いる。
【００２０】
前記ペーパーワイヤー（ペーパータイ）としては、芯に針金（31）が配置された紙製で扁平な紐状のもの、例えば、株式会社シモジマ製の「リボン  ペーパーワイヤー」を用いる。このペーパーワイヤーを使用する時は、図５（ａ）に示すホルダー本体（１）の裏面側とペーパーワイヤーの先端部を接着剤等で固定しておく。
【００２１】
前記鍔付き突出片は、突出部（32）の先端側に溝部（33）が形成され、その突出部（32）の後端部には鍔部（34）が合成樹脂などで一体に形成されている。この鍔付き突出片を使用する時は、図５（ｂ）に示すホルダー本体（１）の裏面側と鍔部（34）の先端側面を接着剤等で固定しておく。尚、前記溝部（33）はカレンダー用紙（５）の吊下用穴（51）の内側を引掛けて落下が防止される役目を果し、前記鍔部（34）は抜け留めの役目を果たす。
【００２２】
更に前記可撓性な足部（35）を鍔部（36）に取付けた金具は、足部（35）が金属製の薄板であり、該足部（35）は鍔部（36）に固定されている。この鍔部（36）に可撓性な足部（35）を取付けた金具を使用する時は、図５（ｃ）に示すように、足部（35）を留め具用穴（1c）と吊下用穴（51）に貫通させてホルダー本体（１）の裏面に密着するように折曲させて留める。
【００２３】
前記ホックは押圧片（37）と受部（38）とから成る合成樹脂或いは金属製のものを用いる。このホックを使用する時は、図５（ｄ）に示すように押圧片（37）を留め具用穴（1c）に貫通させ、その先端部を受部（38）に嵌め込む。この時、受部（38）はホルダー本体（１）の裏面に貼着しておくと良い。尚、前記留め具（３）がペーパーワイヤー（ペーパータイ）以外のものは、本考案品を処分する際、それらを取外してから古紙として再生するか、或いは焼却処分する。
【００２４】
（４）は壁などに固定したフック，釘やネジなどの突起物である。
（５）は吊下用穴（51）を有した中綴じカレンダーのカレンダー用紙であり、月替り時には、捲り上げて保持させる。又、カレンダー用紙（５）には、１ヵ月分が表示されたものと、２ヵ月分が表示されたものとがある。
【００２５】
次に本考案の使用方法について説明する。先ず始めに本考案品と中綴じカレンダーを机などの平らな所に置き、その上で中綴じカレンダーを開き、その上部をホルダー本体（１）の両側に設けられた前倒れ防止部材（２）に差し込む。この時、留め具（３）として、ペーパーワイヤー（ペーパータイ）を用いる場合は、図６（ａ）の２点鎖線で示す留め具（３）の先端部分を、１点鎖線の矢印のように、その先端を留め具用穴（1c）と吊下用穴（51）に貫通させ、更に取付用穴（1a）に貫通させ、且つ、ペーパーワイヤー（ペーパータイ）に弛みがないように引張りながら裏面側で折曲させておく。その後、ホルダー本体（１）の取付用穴（1a）を突起物（４）に引掛けて中綴じカレンダーのセットを完了する［図５（ａ）、図６（ａ）参照］。
【００２６】
次に、前記留め具（３）として、鍔付き突出片を用いる場合は、予め留め具（３）をホルダー本体（１）の留め具用穴（1c）に通し、留め具（３）をホルダー本体（１）の表面に接着させて一体化しておく。上記同様にして中綴じカレンダーを開き、その上部を前倒れ防止部材（２）に差し込む。そして、カレンダー用紙（５）の吊下用穴（51）を突出部（32）の溝部（33）に引掛ける。その後、取付用穴（1a）の内側を突起物（４）に引掛けて中綴じカレンダーのセットを完了する［図５（ｂ）参照］。その後、カレンダー用紙（５）の吊下用穴（51）を、その都度突出部（32）の溝部（33）に引掛けて用いる。
【００２７】
又、前記留め具（３）として、可撓性な足部（35）を鍔部（36）に取付けた金具を用いる場合は、上記同様にして中綴じカレンダーを開き、その上部を前倒れ防止部材（２）に差し込む。そして、留め具用穴（1c）と吊下用穴（51）を合せた後、その上から足部（35）を貫通させ、突出した足部（35）をホルダー本体（１）の裏面側で密着するように折曲させて、カレンダー用紙（５）をホルダー本体（１）に固定する。その後、取付用穴（1a）を突起物（４）に引掛けて中綴じカレンダーのセットを完了する［図５（ｃ）参照］。
【００２８】
更に、前記留め具（３）として、ホックを用いる場合は、上記同様にして中綴じカレンダーを開き、その上部を前倒れ防止部材（２）に差し込み、留め具用穴（1c）と吊下用穴（51）を合せた後、その上から押圧片（37）を挿入して受部（38）に嵌め込み、カレンダー用紙（５）をホルダー本体（１）に固定する。その後、取付用穴（1a）を突起物（４）に引掛けて中綴じカレンダーのセットを完了する［図５（ｄ）参照］。
【００２９】
次に月替わりになり、下方のカレンダー用紙（５）を捲り上げる場合は、捲り上げたカレンダー用紙（５）の上部を前倒れ防止部材（２）に差し込む［図６（ｂ）参照］。このようにして、月替わり毎にカレンダー用紙（５）を順次捲り上げ、前倒れ防止部材（２）によって、捲り上げたカレンダー用紙（５）が支えられるのである。前記カレンダー用紙（５）を捲り上げる際は、カレンダーの表示が１ヵ月毎の場合は、１ヵ月に１度、表示が２ヵ月毎の場合は２ヵ月に１度ずつカレンダー用紙（５）を捲り上げる。
【００３０】
最終月（１２月と３月がある）が図６（ｃ）のように捲り上げが終わった後は、カレンダー用紙（５）を前倒れ防止部材（２）から引抜き、始めのセット状態に戻る［図６（ｄ）参照］。その後、突起物（４）から本考案品を外し、机などの平らな所に置く。そして、留め具（３）の先端を、取付用穴（1a）と留め具用穴（1c）及び吊下用穴（51）から引抜くことにより、カレンダー用紙（５）とホルダー本体（１）が分離されるのである［図６（ｅ）参照］。
次に新しい中綴じカレンダーを用意し、上記要領で、カレンダー用紙（５）をホルダー本体（１）に取付ければ良い［図６（ａ）参照］。このようにして使用すれば、本考案品のホルダー本体（１）が数年に渡って使用できる。
【００３１】
このように本考案品を用いた中綴じカレンダーのカレンダー用紙（５）を捲り上げる作業は、その上部を前倒れ防止部材（２）に差し込むだけの簡単なものとなる。しかもカレンダー用紙（５）の吊下用穴（51）は、突起物（４）に引掛ける必要がないので、吊下用穴（51）の損傷がない。更に本考案品は、前倒れ防止部材（２）に差し込んだ複数枚のカレンダー用紙（５）を引抜き、留め具（３）から最後の１枚のカレンダー用紙（５）を外せば、簡単に中綴じカレンダーが分離するので、新たな中綴じカレンダーの取付けが容易であると共に、本考案品を数年に渡って繰返して使用できる。
尚、本考案品を全て紙製で作っておくと、古紙として再生できる。又、これを燃やしても有害なガスが出ず、環境にやさしいものとなる。また従来の中綴じカレンダーの吊下用穴（51）が１ヶ所であり、ここへ画鋲やフックで掲示しているため、日数が経過すると、カレンダー上部の両端が折れ曲って前に垂れ下がり、内容が見えにくく、且つ、見栄えの良くない状態になっていたが、本考案品を用いれば、それを改善できるものとなる。
【符号の説明】
【００３２】
１  ホルダー本体
1a  取付用穴
1c  留め具用穴
２  前倒れ防止部材
３  留め具
５  カレンダー用紙
51  吊下用穴
【図１】
0003225912.tif 000003
【図２】
0003225912.tif 000004
【図３】
0003225912.tif 000005
【図４】
0003225912.tif 000006
【図５】
0003225912.tif 000007
【図６】
0003225912.tif 000008